(57)【特許請求の範囲】
【請求項１】
テープ状記録媒体が収容され半導体メモリが設けられたカセットを用いて、各々任意の長さで入力されるビデオデータを順次前記テープ状記録媒体に記録するビデオデータ記録装置であって、
当該ビデオデータ記録装置に装着されたカセットを識別する識別データを記憶する識別データ記憶手段と、
新たに該ビデオデータ記録装置に装着されたカセットの識別データと、前記識別データ記憶手段に記憶されている該カセットの前に装着されていたカセットの識別データが一致するか否かを照合する識別データ照合手段と、
前記照合により識別データが一致した場合に、前記入力されるビデオデータを、前記テープ状記録媒体の既に記録されているビデオデータに連続する領域に順次記録する入力ビデオデータ記録手段と、
前記入力される各ビデオデータごとに、当該ビデオデータを識別するための索引ビデオデータを抽出して順次記憶する索引ビデオデータ抽出手段と、
前記照合により識別データが一致した場合に、前記索引ビデオデータ抽出手段により既に抽出されている索引ビデオデータと、前記入力された各ビデオデータより抽出された索引ビデオデータに基づいて、当該テープ状記録媒体に記録されているビデオデータを検索するための検索用ビデオデータを生成する検索用ビデオデータ生成手段と、
前記生成された検索用ビデオデータを前記テープ状記録媒体に記録する検索用ビデオデータ記録手段と、
前記照合により識別データが一致した場合に、前記半導体メモリに、既に記録されている入力されたビデオデータの記録位置を示す情報に追加して、前記各入力されたビデオデータおよび前記検索用ビデオデータの記録位置を示す情報を記録する位置情報記録手段と
を有するビデオデータ記録装置。
【請求項２】
前記新たに装着されたカセットに、前記識別データが付与されていなかった場合に、当該カセットに対する識別データを生成し、該カセットに記録する識別データ記録手段
をさらに有する請求項１記載のビデオデータ記録装置。
【請求項３】
前記識別データ記憶手段は、不揮発性メモリ手段により構成されている
請求項１記載のビデオデータ記録装置
【請求項４】
前記識別データ記憶手段は、前記テープ上記録媒体に記録されたビデオデータに依存する該ビデオデータの所定のデータを識別データとして記憶し、
前記識別データ照合手段は、新たに装着されたカセットに記録されているビデオデータの前記所定のデータを読み出し、該読み出したデータと前記記憶されているデータを照合する
請求項１記載のビデオデータ記録装置。
【請求項５】
前記検索用ビデオデータ記録手段は、前記テープ状記録媒体の、最後に入力されたビデオデータが記録されている領域に連続する領域であって、次に入力されるビデオデータが記録される領域に前記検索用ビデオデータを記録し、
前記ビデオデータ記録手段は、前記各入力されたビデオデータが前記テープ状記録媒体の連続領域に順次連続して記録されるように、前記各入力されたビデオデータを、直前に入力されたビデオデータに連続する領域であって、前記検索用ビデオデータが記録されている領域に、当該検索用ビデオデータを更新して記録する
請求項１記載のビデオデータ記録装置。
【請求項６】
前記索引ビデオデータ抽出手段は、前記入力された各ビデオデータより所定の映像データを選択し、該映像データの画面を所定の比率で縮小して、当該ビデオデータの索引ビデオデータとして記憶し、
前記検索用ビデオデータ生成手段は、１つの画面上に複数枚の前記索引ビデオデータが表示されるような前記検索用ビデオデータを生成する
請求項１記載のビデオデータ記録装置。
【請求項７】
カセットケースにテープ状記録媒体が収容され、該カセットケースに半導体メモリが内蔵されているカセット式記録媒体であるビデオカセットにビデオデータを記録するビデオデータ記録方法であって、
装着されたカセットの半導体メモリに該カセットを識別する識別データを記録し、
その装着されたカセットの識別データを記憶し、
入力される各ビデオデータを前記テープ状記録媒体に順次連続的に記録し、
前記入力ビデオデータ各々から抽出した画像データを複数個ずつ配置した検索用ビデオデータを生成し、
前記検索用ビデオデータを、前記テープ上記録媒体の前記入力ビデオデータが記録された領域に連続して記録し、
前記入力ビデオデータ各々および前記検索用ビデオデータの記録位置の情報を前記半導体メモリに記録し、
新たにカセットが装着された際に、前記記憶されている識別データと、該装着されたカセットの半導体メモリに記録されている前記識別データが一致するか否かを照合し、
識別データが一致した場合には、
入力される各ビデオデータを、前記テープ状記録媒体に既に記録されているビデオデータに連続させて順次記録し、
前記テープ上記録媒体に既に記録されていたビデオデータ各々から既に抽出されている前記画像データと、前記入力されたビデオデータ各々から抽出した画像データを複数個ずつ配置した検索用ビデオデータを生成し、
前記検索用ビデオデータを、前記テープ上記録媒体の入力ビデオデータが記録された領域に連続して記録し、
前記半導体メモリに既に記録されている各入力ビデオデータの記録位置を示す情報に追加して、前記各入力ビデオデータおよび前記検索用ビデオデータの記録位置の情報を前記半導体メモリに記録する
ビデオデータ記録方法。
【発明の詳細な説明】
【０００１】
【発明の属する技術分野】
本発明は、記録したビデオデータの確認や所望のビデオデータの検索を効率よく行えるようなビデオデータ記録装置とその方法、および、そのようにビデオデータを記録する記録媒体に関する。
【０００２】
【従来の技術】
テレビカメラなどの撮像装置により撮影され、ビデオテープなどの記録媒体に記録されたビデオデータは、順次入力される比較的短いカット（連続して撮影された映像、あるいは、そのビデオデータ）の連続である場合が多い。そのため、後から内容の確認や編集を行う場合などには、所望のカットを検索する作業が必要となる。特に、テレビジョン放送局において取材業務で使用する場合などにおいては、ビデオカムコーダなどにより撮影した多数のカットの中から必要なカットを高速に選択して編集する必要がある。
【０００３】
そのような、ビデオデータの検索・編集を高速に行うことのできる方法としては、本願出願人に係わる特開平７−１５４７３１号公報および特開平７−１５４７４０号公報に開示されている方法がある。この方法では、撮影した映像データおよび音声データを記録媒体に記録する際に、それらのデータを圧縮したインデックス情報を生成し、そのインデックス情報を別の記録媒体、あるいは、同一の記録媒体の元のデータの記録領域に連続した領域に記録しておくようにしている。そして、そのインデックス情報を参照して編集データを作成することにより、元のデータに対する処理を省き、効率よく作業が行えるようにしている。
【０００４】
【発明が解決しようとする課題】
ところで、データ圧縮技術やデータ記録技術の進展により、ビデオテープなどの記録媒体にはより長時間のビデオデータが記録できるようになっている。たとえば、現在、順次規格が決定されつつある１／４インチデジタルビデオカセットテープにおいては、標準カセットで４時間３０分、小型カセットでも１時間のビデオデータが記録できるようになっている。
そして、記録時間の増大に伴って、当然１つの記録媒体に記録できるカットの数も増加している。その結果、たとえばインデックスピクチャを各カットに連続した記録領域に各々記録しておく前述したような検索・編集方法においては、そのインデックスピクチャを再生するだけでも時間がかかり、所望のカットの検索が効率よく行えないという問題が生じている。そのため、より効率的に所望のカットを検索したいという要望が生じている。
【０００５】
また、前述した１／４インチデジタルビデオカセットテープにおいては、ビデオテープを収容するカセットにフラッシュメモリなどの半導体メモリ素子を組み込み一体的な１つの記録装置としており、この半導体メモリに記録時間・記録内容・タイトルなどの情報を記録できるようにしている。このような半導体メモリを有効に使えば、前述したように全く別個の記録媒体を用いずとも記録されているビデオデータの検索が効率よく行えることが考えられるが、この半導体メモリによるデータの記録コストは高価であり実質的にその記録容量に制限があるため、そのような半導体メモリを効率よく使用したいという要望がある。
【０００６】
また、前述したように１つの記録媒体に記録できるビデオデータが増大すると、１つの記録媒体に対して多数の箇所で取材した種々のビデオデータを記録する機会が増加する。すなわち、２日間や３日間の間に収録した複数の箇所のビデオデータが１本の記録媒体に記録されるようになる。その結果、取材の合間に収録したビデオデータを再生装置などにより再生して確認しながら、さらに次の取材によるビデオデータを追加記録していくというビデオデータの記録方法がしばしば行われるようになっている。
【０００７】
しかし、通常は、記録媒体を記録装置から取り出した時には、その記録媒体に対して記録装置内に保持されていたたとえばタイムコードや検索データなどのデータは実質的に消去され、次に記録装置を装着した時には、再び新たな記録データが生成される。そのため、同じ記録装置に記録したビデオデータにも係わらず、そのタイムコードや検索データなどの一貫した管理、処理ができないという問題が生じる。また、仮にそのような記録媒体の着脱を許容して全体のビデオデータの管理を行おうとすると、ビデオデータが一部記録済の再装着された記録媒体を走査して、ビデオデータの記録状態を把握する必要があり、ある程度の時間がかかるため直ちに撮影ができない上に、複雑な処理が必要になるという問題が生じる。
【０００８】
したがって本発明の目的は、半導体メモリを内蔵したビデオデータ記録媒体に対して、検索が容易に行えるようにビデオデータを記録し、さらにそのビデオデータ記録媒体を着脱したとしても、その記録媒体に記録されているビデオデータに対する検索データの生成などの処理を、一貫して高速に行うことのできるビデオデータ記録装置を提供することにある。
また本発明の他の目的は、半導体メモリを内蔵したビデオデータ記録媒体に対して、検索が容易に行えるようにビデオデータを記録し、さらにそのビデオデータ記録媒体を着脱したとしても、その記録媒体に記録されているビデオデータに対する検索データの生成などの処理を、一貫して高速に行うことのできるビデオデータ記録方法を提供することにある。
【０００９】
【課題を解決するための手段】
前記課題を解決するために、各カットごとのインデックスピクチャはテープ記録媒体上にまとめて記録し、各カットのビデオテープ上での記録領域と、そのインデックスピクチャの記録領域とを示す情報をビデオテープを収容するカセットに内蔵された半導体メモリに記録するようにした。また、各記録媒体に識別データを付与し、その識別データに基づいて、直前に装着されていた記録媒体と同じ記録媒体が装着された場合には、記録装置内に蓄積されているインデックスピクチャなどの種々のデータをそのまま使用して、一貫したビデオデータの管理を行いその記録媒体にビデオデータを追加記録できるようにした。
【００１０】
したがって、本発明のビデオデータ記録装置は、ビデオテープなどのテープ状記録媒体を収容するカセットケースに半導体メモリが内蔵されているビデオカセットにビデオデータを記録するビデオデータ記録装置であって、識別データ記憶手段と、識別データ照合手段と、入力ビデオデータ記録手段と、索引ビデオデータ抽出手段と、検索用ビデオデータ生成手段と、検索用ビデオデータ記録手段と、位置情報記録手段とを有する。
【００１１】
識別データ記憶手段は、装着されたカセットに対する識別データを記憶しておく手段である。
好適には、この識別データ記憶手段は、記録装置の電源を切断したとしてもその記憶内容が保持される、たとえばフラッシュメモリやハードディスクなどの、不揮発性メモリ手段により構成される。
また、その識別データは、たとえば記録装置の機種、仕様、シリアル番号、および、記録媒体の通番などから構成されるのが通常である。しかし、たとえば、記録媒体に記録されているビデオデータのタイムコードデータなどから生成したそのビデオデータに依存するデータを識別データとして用いてもよく、そのようにすれば、カセットの同定のみならず、その内容が更新されてないことも確認でき、好適である。
【００１２】
識別データ照合手段は、新たにカセットが装着された場合に、そのカセットの識別データと、識別データ記憶手段に記憶されているその直前に装着されていたカセットの識別データとが一致するか否かを比較照合する。一致した場合は、新たに装着されたカセットはその前に装着されていたカセットと同じカセットであり、一致しなかった場合は、新たに装着されたカセットは、別のカセットであると判定される。
【００１３】
ビデオデータ記録手段は、ビデオカメラなどで撮影されて、中断されながら適宜入力される各々が任意の長さのビデオデータ（以後、これをカット、あるいはカットのビデオデータと言う場合もある）をビデオテープに順次記録する。この時、記録媒体が前に装着されていたのと同じカセットであれば、そのカセットのビデオテープに既に記録されているビデオデータに連続させて、新たに入力されるビデオデータを順次記録する。また、別のカセットが装着された場合には、新たに入力されるビデオデータは、ビデオテープの先頭などの所定の位置より順次連続的に記録される。
また、このビデオデータは、通常、たとえばＤＣＴ（離散コサイン変換）を用いた符号化方式などにより圧縮符号化されて記録される。
【００１４】
索引ビデオデータ抽出手段は、その各カットを後から検索する際に内容が確認できるような索引ビデオデータを抽出し、記憶しておく。この索引ビデオデータは、所定の静止画像でも、動画像でもよく、また抽出する際の元のビデオデータに対する空間的あるいは時間的な圧縮条件も任意である。ただし、その索引ビデオデータの画面面積は、後述する検索用ビデオデータの構成に合わせて、元のビデオデータより十分縮小された面積であるのが好適である。
【００１５】
また、好適には、この索引ビデオデータ抽出手段は、記録媒体が前に装着されていたのと同じカセットであれば、既に索引ビデオデータ抽出手段により抽出され記憶されている索引ビデオデータに追加して、新たに入力されたビデオデータから抽出した索引ビデオデータを順次記録する。また、別のカセットが装着された場合には、それまで記録していた索引ビデオデータは消去して、新たに入力されたビデオデータから抽出した索引ビデオデータのみを順次記録する。
さらに、この索引ビデオデータ抽出の特定的な例としては、ビデオデータ記録手段において符号化する際に行ったＤＣＴの８×８の各ブロックの直流成分により新たなビデオデータを生成することにより、該映像データを１／６４に縮小した索引ビデオデータを抽出する方法があり好適である。
【００１６】
検索用ビデオデータ生成手段は、そのビデオテープにそれまでに記録されている各カットから抽出された索引ビデオデータに基づいて、たとえばそれらの複数のカットの内容が確認できるような、検索用ビデオデータを生成する。
すなわち、検索用ビデオデータ生成手段においては、記録媒体が前に装着されていたのと同じカセットであれば、索引ビデオデータ抽出手段にそれまで記憶されている索引ビデオデータと、新たに入力されたビデオデータから抽出した索引ビデオデータとを合わせて、それらの索引ビデオデータより検索用ビデオデータを生成する。また、記録媒体が別のカセットであれば、新たに入力さえたビデオデータから抽出した索引ビデオデータより、検索用ビデオデータを生成する。
【００１７】
なお、索引ビデオデータ抽出手段において、前述した好適例のように、装着された記録媒体に応じてその記憶内容の更新を行うのであれば、検索用ビデオデータ生成手段においては、前記照合結果に基づいて別段の処理を行わなくとも、前述したような処理が行われることになり、そのような構成により実施してもよい。
この検索用ビデオデータは、たとえば、１つの画面上に各カットから抽出した索引ビデオデータが縮小されて配列されており、一覧してそれら記録されている各カットの内容が確認できるようなビデオデータである。もちろん、各縮小画面には、その各カットが動画の状態で表示されるようにしてもよい。
【００１８】
検索用ビデオデータ記録手段は、その検索用ビデオデータをビデオテープに記録する。
なお、この時も、前述した入力ビデオデータの記録と同様に、通常、ＤＣＴなどの符号化方式により圧縮符号化されて記録される。
また、この検索用ビデオデータ記録手段と入力ビデオデータ記録手段は、ビデオデータを選択して順次ビデオテープに記録する同一のデータ記録手段で構成してよい。
また、この検索用ビデオデータは、ビデオテープの最後に入力されたカットが記録されている領域に連続する領域であって、次に入力されるカットが記録される領域に記録しておけば、検索時などに高速に再生できて好適である。
【００１９】
位置情報記録手段は、ビデオテープに記録された各カットおよび検索用ビデオデータの記録位置を示す情報をカセットに内蔵された半導体メモリに記録する。この時に、記録媒体が前に装着されていたのと同じカセットであれば、半導体メモリに既に記録されている入力ビデオデータの記録位置を示す情報は残し（既に記録されている検索用ビデオデータの記録位置の情報は消去し）、新たに入力されたビデオデータの記録位置、および、検索用ビデオデータの記録位置の情報を追加記録する。また、記録媒体が別のカセットであれば、半導体メモリの内容は全てリセットして、今回新たに入力されたビデオデータの記録位置、および、検索用ビデオデータの記録位置の情報を記録する。
【００２０】
その際に、その位置情報のたとえばその記録領域の終了位置などは、その記録領域の先頭位置からの相対位置で示すことによって、少ない情報量で記録されることが望ましい。もちろん、相対位置で示される位置情報はその記録領域の終了位置に限られるものでなく任意の位置がこれにより示されてよいし、また、絶対位置で示される基準の位置も、任意の位置情報をこれに用いてよい。
特定的には、その位置情報は、各カットの記録先頭位置は秒を単位としたビデオテープ上の絶対時間で、記録終了位置はその先頭位置からの相対位置で、そして検索用ビデオデータの記録位置はフレームを単位としたビデオテープの絶対時間で示される。
【００２１】
また、本発明のビデオデータ記録方法は、カセットケースにテープ状記録媒体が収容され、そのカセットケースに半導体メモリが内蔵されているカセット式記録媒体であるビデオカセットにビデオデータを記録するビデオデータ記録方法であって、まず、基本的な記録方法としては、装着されたカセットの半導体メモリにカセットを識別する識別データを記録し、その装着されたカセットの識別データを記憶し、入力される各ビデオデータをテープ状記録媒体に順次連続的に記録し、入力ビデオデータ各々から抽出した画像データを複数個ずつ配置した検索用ビデオデータを生成し、検索用ビデオデータを、テープ上記録媒体の入力ビデオデータが記録された領域に連続して記録し、入力ビデオデータ各々および検索用ビデオデータの記録位置の情報を半導体メモリに記録する。
【００２２】
そして、新たにカセットが装着された時には、記憶されている識別データと、装着されたカセットの半導体メモリに記録されている識別データが一致するか否かを照合し、識別データが一致しなかった場合には、前述した基本的な記録方法を繰り返す。
識別データが一致した場合には、入力される各ビデオデータを、テープ状記録媒体に既に記録されているビデオデータに連続させて順次記録し、テープ上記録媒体に既に記録されていたビデオデータ各々から既に抽出されている画像データと、入力されたビデオデータ各々から抽出した画像データを複数個ずつ配置した検索用ビデオデータを生成し、検索用ビデオデータを、テープ上記録媒体の入力ビデオデータが記録された領域に連続して記録し、半導体メモリに既に記録されている各入力ビデオデータの記録位置を示す情報に追加して、各入力ビデオデータおよび検索用ビデオデータの記録位置の情報を半導体メモリに記録する。
【００２４】
【発明の実施の形態】
本発明の一実施の形態について、図１〜図７を参照して説明する。
図１は、本発明の一実施の形態のカメラ一体型デジタルビデオテープレコーダ（以後、デジタルカムコーダと言う）の構成を示すブロック図である。
デジタルカムコーダ１は、主な構成部としてカメラ部１０、圧縮部３０、誤り訂正符号付与部５０、記録部６０、インデックス画像生成部７０を有し、撮影して得られたビデオデータを圧縮して、半導体メモリ内蔵のビデオカセットテープに記録するＶＴＲ装置である。
【００２５】
本発明の記録媒体に係わり、そのビデオデータを記録するビデオカセットテープの外観図を図２に示す。
まず、デジタルカムコーダ１にセットして用いられるこのビデオカセットテープ９０について図１および図２を参照して説明する。
図２に示すように、ビデオカセットテープ９０は内部に１／４インチのビデオテープ９１が収容されており、現行のテレビジョン信号であれば最大で４時間３０分の信号を記録可能である。このビデオカセットテープ９０をデジタルカムコーダ１にセットすると、カセットケース９３の前面に設けられている蓋９５が開き、この部分よりビデオテープ９１が引き出されてデジタルカムコーダ１内の図示せぬ回転ヘッドに巻き付けられ、信号の記録・再生が行われる。
【００２６】
また、ビデオカセットテープ９０には、カセットケース９３の内部にＭＩＣ(Memory In Chip)と言われるフラッシュメモリ９２が収容されている。そして、ビデオカセットテープ９０の背面部の誤消去防止用ツメ９６の近傍に、４本の電極からなる端子９４が設けられており、この端子９４を介してフラッシュメモリ９２に対してデータの書き込み、および、読み出しが行われる。この４本の端子は、具体的には、各々接地、電源、クロック、データの端子である。
このフラッシュメモリ９２は、５バイトのデータパックを単位としてデータの書き込みおよび読み出しが行われ、テープ厚、テープの種類、テープの品種などの媒体情報のデータ、ビデオカセットテープを識別する識別データ、ビデオテープに記録されたビデオデータの記録位置を示すデータ、および、ビデオテープに記録されたインデックス画像の記録位置を示すデータが記憶される。これらのデータの形式および書き込み／読み出し動作については後述する。
【００２７】
次に、デジタルカムコーダ１の構成について図１を参照して説明する。
カメラ部１０は、ＣＣＤ１１、カメラ処理部１２、および、それらを制御する制御部１３を有し、全体制御部８１からの制御信号に基づいて、ＣＣＤ１１により撮像した信号をテレビジョン信号に変換してフィルタ部２１に出力する。
フィルタ部２１は、カメラ部１０より入力されたビデオ信号を４：２：２方式から４：１：１方式に変換するなどの処理を行うフィルタ部であり、変換されたビデオ信号はブロック分割部２２に出力される。
ブロック分割部２２は、フィルタ部２１より入力されたビデオ信号、および、後述するインデックス画像生成部７０より入力さえたインデックス画像の信号の各フレームを８×８のマクロブロックに分割して圧縮部３０に出力する。
【００２８】
圧縮部３０は、ＤＣＴ部３１、動き検出部３２、並べ替え部３３、量子化部３４、および、符号量推定部３５を有し、ブロック分割部２２より入力されたビデオ信号をＤＣＴ符号化し、さらに量子化して可変長符号化部４０に出力する。圧縮部３０においては、ブロック分割部２２より入力された８×８のマクロブロックごとのビデオ信号に対して、動き検出部３２で動き検出を行い、ＤＣＴ部３１でＤＣＴ変換を行い、並べ替え部３３でそのＤＣ成分が所定の位置になるように得られた要素を周波数順に並べ替える。そして、その結果に基づいて、符号量推定部３５において符号量を推定し、その推定値に基づいて量子化レベルを決定して量子化部３４において適応量子化を行う。
【００２９】
可変長符号化部４０は、圧縮部３０より入力される圧縮されさらに量子化されたビデオ信号を可変長符号化して生成した符号データを誤り訂正符号付与部５０に出力する。本実施の形態においては、可変長符号化部４０においては２次元ハフマン符号化を行う。
【００３０】
誤り訂正符号付与部５０は、可変長符号化部４０より入力される符号データに対して、パリティを付加して記録データを生成し、記録部６０に出力する。本実施の形態においては、誤り訂正符号付与部５０は誤り訂正ブロックを２次元構成にしたリード・ソロモン積符号を用いる。具体的には、誤り訂正符号付与部５０はシャッフリング部５１およびエラー訂正符号付与部５２とを有し、入力された符号データに対してまずエラー訂正符号付与部５２において外符号パリティを付加し、シャッフリング部５１でシャッフリングをした後同期信号およびＩＤ符号を付加して、再びエラー訂正符号付与部５２においてさらに内符号パリティを付加する。
【００３１】
記録部６０は、チャネルコーディング部６１、記録アンプ６２、および、記録ヘッド６３を有し、誤り訂正符号付与部５０より入力された記録データを、チャネルコーディング部６１でビデオテープ９１の磁気記録特性に適合したデジタルビット系列に変換し、記録アンプ６２で増幅して記録ヘッド６３に印加し、ビデオテープ９１の所定の位置に記録する。
【００３２】
インデックス画像生成部７０は、圧縮部３０より入力されるビデオ信号に基づいて、各カットの内容を検索するのに適した画像を抽出し、さらに、複数のカットについて抽出されたその画像を用いてインデックス画像（インデックスピクチャという場合もある）を生成し、各カットのビデオデータが記録された後にビデオテープ９１に記録されるように、所定のタイミングで適宜ブロック分割部２２に出力する。
インデックス画像生成部７０は、制御部７１、サンプリング部７２、タイミングパルス生成部７３、ＲＯＭ７４、ＳＲＡＭ７５、ＳＲＡＭアドレスコントローラ７６、フレームメモリ７７、および、フレームメモリアドレスコントローラ７８を有する。
【００３３】
制御部７１は、全体制御部８１からの制御信号に基づいてインデックス画像生成部７０を構成する各部を制御する。制御部７１の具体的制御内容については、後述する各部の説明時に同時に説明する。
サンプリング部７２は、タイミングパルス生成部７３から入力されるパルスに基づいて所定のタイミングで、圧縮部３０の並べ替え部３３より並べ替えられたＤＣＴ結果の係数を読み込み、そのＤＣ成分を抽出してＲＯＭ７４に出力する。タイミングパルス生成部７３は、各カットの最初の映像データよりインデックス画像に用いる画像を抽出するように、サンプリング部７２に対してパルスを生成する。
ＲＯＭ７４は、サンプリング部７２から入力される９ビットのＤＣ成分のデータを、８ビットに変換し、ＳＲＡＭ７５に出力する。
【００３４】
ＳＲＡＭ７５は、ＳＲＡＭアドレスコントローラ７６によりそのアドレスが制御され、さらに制御部７１によりデータの書き込み／読み出しタイミングが制御されており、ＲＯＭ７４から入力される各マクロブロック当り１つのデータを順次記憶し、最終的に各カットの最初の映像データに対応する画像を格納する。前述したように、サンプリング部７２においては、８×８のマクロブロックごとに１つのＤＣ成分をその画素値として順次出力するので、ＳＲＡＭ７５に最終的に格納される前記画像は、元の映像データを縦横各々個１／８に縮小した画像となる。
ＳＲＡＭアドレスコントローラ７６は、制御部７１からの制御信号に基づいて、ＲＯＭ７４よりＳＲＡＭ７５に順次入力される画素データが、ＳＲＡＭ７５において１枚の画像を形成するようにＳＲＡＭ７５に記憶されるように、ＳＲＡＭ７５のアドレスを制御する。
【００３５】
フレームメモリ７７は、映像データのフレームに対応してデータを記憶可能なメモリであり、本実施の形態のフレームメモリ７７は７フレーム分の映像データ記憶できる容量を有する。フレームメモリ７７は、フレームメモリアドレスコントローラ７８よりそのアドレスが制御され、制御部７１から入力される制御信号に基づいて、ＳＲＡＭ７５内に順次形成される各カットごとの画像を順次記憶する。なお、本実施の形態においては、フレームメモリ７７はフラッシュメモリにより構成されており、デジタルカムコーダ１の電源を切っても記録内容は保持される。また、記録内容の消去は、全体制御部８１からの指示に基づいて制御部７１を介して入力される制御信号に基づいて行われる。また、ＳＲＡＭ７５に記憶される画像は、元の映像データを縦横各々１／８、すなわち、面積を１／６４に縮小した画像なので、フレームメモリ７７の１枚のフレームメモリに６４個の画像を格納することができる。
【００３６】
フレームメモリアドレスコントローラ７８は、制御部７１からの制御信号に基づいて、ＳＲＡＭ７５からフレームメモリ７７に入力される画像データが前述したような位置に適切に格納されるように、フレームメモリ７７のアドレスを制御する。
タイムコード生成部８２は、信号の記録位置などを示す指標となるタイムコードを生成し、全体制御部８１に出力する計時手段である。なお、出力される時間は、絶対時刻か、ビデオカセットテープ９０の着脱や使用者のリセットボタンの押下などによりリセットされる相対的な時間であり、その選択は任意である。
【００３７】
テープ制御部８３は、全体制御部８１からの制御信号に基づいて、入力されたビデオ信号あるいは、インデックス画像生成部７０で生成されたインデックス画像の信号を、ビデオテープ９１の任意の位置に記録できるように、ビデオカセットテープ９０のビデオテープ９１のテープ走行を精度よく制御する。
操作／表示部８４は、使用者がデジタルカムコーダ１に対して、カメラの撮像条件の制御や、記録開始、記録終了、マーキングなどの指示を入力したり、使用者に対して、デジタルカムコーダ１の動作状態などを知らせたりするユーザインターフェイス部分である。
【００３８】
識別データ記憶部８５は、デジタルカムコーダ１にセットされる各ビデオカセットテープごとに、そのビデオカセットテープから読み出されるか、あるいは後述する全体制御部８１により決定される媒体識別データを記憶するメモリであり、本実施の形態においてはフラッシュメモリにより構成される。
この識別データは、図３に示すような５バイトのデータであり、デジタルカムコーダ１の機種および仕様を示す７ビットのデータと、デジタルカムコーダ１のシリアル番号を示す１６ビットのデータと、ビデオカセットテープの番号を示す１７ビットのデータより構成される。なお、機種および仕様を示すデータはデジタルカムコーダ１の図示しないＲＯＭに登録されているものであり、装置のシリアル番号およびビデオカセットテープの番号は、同じく図示せぬフラッシュメモリなどに順次更新されながら記録されているデータを用いる。
【００３９】
全体制御部８１は、デジタルカムコーダ１が所望の動作をするようにデジタルカムコーダ１を構成する各部を制御する。たとえば、操作／表示部８４を介して使用者が入力したカメラコントロール、ビデオデータの記録開始／終了などの指示に基づいて、カメラ部１０に対するカメラの制御、カメラ部１０からのビデオ信号の生成・出力、圧縮部３０以下の信号処理系に対する動作の制御、テープ制御部８３に対するビデオテープの駆動の制御、操作／表示部８４に対する動作状況・処理結果の表示などを行う。
【００４０】
まず、全体制御部８１は、ビデオカセットテープを識別する識別データの生成、照合、および、識別データ記憶部８５への識別データの書き込み／読み出しなどの動作を行う。
全体制御部８１は、新たなビデオカセットテープ９０がデジタルカムコーダ１にセットされた場合、まず第１にそのフラッシュメモリ９２から識別データを読み出し、識別データ記憶部８５に記憶されている識別データと一致するか否か照合する。
【００４１】
それらの識別データが一致しなかった場合、および、フラッシュメモリ９２に識別データが記録されていなかった場合には、直前にデジタルカムコーダ１にセットされていたビデオカセットテープと今回セットされたビデオカセットテープは異なるビデオカセットテープと判定し、インデックス画像生成部７０のフレームメモリ７７に蓄積しているインデックス画像のデータを消去する。
そして、識別データが一致しなかった場合には、新たにセットされたビデオカセットテープ９０のフラッシュメモリ９２から読み出した識別データを、識別データ記憶部８５に記憶する。また、フラッシュメモリ９２に識別データが記録されていなかった場合には、新たな識別データを生成し、フラッシュメモリ９２および識別データ記憶部８５の両方に記録する。
【００４２】
また、前記照合の結果、それらの識別データが一致した場合には、前回セットされていたビデオカセットテープと今回セットされたビデオカセットテープは同じビデオカセットテープと判定し、現在のフレームメモリ７７に記憶されているインデックス画像は引き続き残し、今後新たに入力されるビデオデータから抽出されたインデックス画像を順次フレームメモリ７７に追加記録する。そして、ビデオカセットテープ９０のフラッシュメモリ９２に記録されている各ビデオデータの記録位置の情報を読み出し、ビデオカセットテープ９０に既に記録されているビデオデータに引き続いて、新たなビデオデータを記録するようにデジタルカムコーダ１の各部を動作させる。
【００４３】
以後、全体制御部８１は、順次入力されてくるビデオデータに対して、通常のビデオデータの撮影が行われてある時間のカットがビデオカセットテープ９０に記録された後に、インデックス画像生成部７０で生成されたそのカットに対するインデックス画像をインデックス画像生成部７０からブロック分割部２２に出力してそのインデックス画像をビデオカセットテープ９０に記録するように、デジタルカムコーダ１の各部を制御する。そして、さらにその際に、それらのカットおよびインデックス画像が記録されているビデオテープ９１上の位置を、ビデオカセットテープ９０のフラッシュメモリ９２に記録する。
【００４４】
このビデオデータの記録位置を示すデータの、ビデオカセットテープ９０のフラッシュメモリ９２へのデータの入出力も、前述したように５バイトごとのデータパックを単位として行われる。そのデータパックについて図４を参照して説明する。
図４は、デジタルカムコーダ１により、ビデオカセットテープ９０のフラッシュメモリ９２に記録される記録データの位置を示すデータのデータパックの構成を示す図であり、（Ａ）は、カットのイン点およびアウト点の位置を示すデータパックの構成を示す図、（Ｂ）はインデックス画像の位置を示すデータパックの構成を示す図、（Ｃ）は撮影者の指示によりマーキングされた画像の位置を示すデータパックの構成を示す図である。
【００４５】
まず、各データパックとも第１バイトはヘッダとなっており、これらの各データパックの種類を識別するコードが記録さている。図４に示す各データパックは、全てビデオテープ９１に記録されたビデオデータの位置を示すデータのデータパックなので、このヘッダにはコードＦＤｈが記録されている。
次に、これらビデオデータの位置を示すデータパックにおいては、第２バイトのビット７（ｂ2 ）、ビット６（ｂ1 ）、および、第３バイトのビット７（ｂ0 ）の３ビットによりサブヘッダが構成されている。このサブヘッダにより、各データパックのデータ内容が識別され、それに応じてそのデータフォーマットも判別できる。サブヘッダとデータ内容の対応を表１に示す。
【００４６】
【表１】
0003747501.tif 000002
【００４７】
以下、各データパックの構成について説明する。なお、図４において、定義が示されていないビットは、リザーブ領域である。
図４（Ａ）に示すピクチャクリップ１およびピクチャクリップ２は、ビデオテープ９１に記録された各カットのビデオデータの識別情報、および、その記録位置の情報を記録するためのデータパックである。
【００４８】
そのカットの識別情報は、ピクチャクリップ１の第２バイット〜第４バイトに記録され、具体的には、使用者が操作／表示部８４を介して入力する、そのシーンのシーン番号、テイク番号、および、そのカットがＯＫかＮＧかを識別するデータなどが記録される。
そのカットのビデオデータを記録したフラッシュメモリ９２上の記録領域の先頭位置を示す情報は、ピクチャクリップ２の第２バイト〜第４バイトに記録される。本実施の形態においては、その記録位置はビデオテープ９１上での記録時間により示され、第２バイトに時間、第３バイトに分、第４バイトに秒が記録される。なお、このビデオデータの記録の開始は、使用者がデジタルカムコーダ１を操作して行う指示により決定されるものなので、秒単位で管理できればよく、フレーム単位で管理しなくとも十分である。
【００４９】
また、そのカットの記録領域の終了位置を示す情報は、先頭位置からの相対値で示される。すなわち、そのカットの記録領域の終了位置が、先頭位置から何秒後、あるいは、何フレーム目の位置にあるかということが、その終了位置の情報として記録される。この終了位置を示す情報は、ピクチャクリップ１の第５バイトおよびピクチャクリップ２の第５バイトに記録される。この終了位置は、秒を単位として決定しても、フレームを単位として決定してもよい。記録ビット幅が１６ビットなので、秒を単位とした相対値を用いた場合には１８時間、フレームを単位とした相対値を用いた場合には約３６分のカットに対して対処することができる。記録するビデオデータの種類や、編集時に必要な精度などに応じて、任意の単位を基準としてこの終了位置を示すようにしてよい。
【００５０】
図４（Ｂ）に示すピクチャクリップアドレスは、ビデオテープ９１に記録されたインデックスピクチャの記録位置の情報を示すデータパックである。本実施の形態においては、その記録位置は各インデックスピクチャのフレームごとに示される。すなわち、第２バイトに時間、第３バイトに分、第４バイトに秒、第５バイトにその秒内のフレーム番号が記録される。
また、図５（Ｃ）に示すデータパックは、使用者が操作／表示部８４に設けられたキューボタンを押下してそのビデオデータにマーキングを行った時に、その位置を記録するために生成されるデータパックである。そして、その構成は、ピクチャクリップアドレスと同様に、そのマーキングされたフレームを示す情報が記録される。すなわち、第２バイトに時間、第３バイトに分、第４バイトに秒、第５バイトにその秒内のフレーム番号が記録される。
【００５１】
ビデオテープ９１に記録されたビデオデータの記録位置に関する情報としては、このようなデータパックが全体制御部８１により生成されて、ビデオカセットテープ９０のフラッシュメモリ９２に生成とともに適宜記録される。
【００５２】
次に、デジタルカムコーダ１の動作について説明する。
なお、本実施の形態においては、テレビジョン放送局などにおける取材にこのデジタルカムコーダ１を使用したような場合であって、後で撮影したカットを編集して所望のビデオデータを得るように、たとえば数分程度のカットを順次撮影してビデオカセットテープ９０に記録し、途中でビデオカセットテープ９０をデジタルカムコーダ１から取り出して外部で再生確認した後、再びそのビデオカセットテープ９０をデジタルカムコーダ１にセットして引き続き撮影したカットの記録を行った場合についてその動作を説明する。
【００５３】
まず、新たに撮影を行おうとして、ビデオカセットテープ９０をデジタルカムコーダ１にセットすると、全体制御部８１はビデオカセットテープ９０のフラッシュメモリ９２より識別データを読み出す。この時、ビデオカセットテープ９０が新しいビデオカセットテープであり、識別データが記録されていない場合は、全体制御部８１は新たな識別コードを生成して、フラッシュメモリ９２および識別データ記憶部８５に記録する。また、この時、フレームメモリ７７の内容がクリアされる。
【００５４】
次に、使用者はデジタルカムコーダ１によりとらえている映像および音声データを記録しようとした場合、デジタルカムコーダ１の操作／表示部８４のたとえばＲＥＣボタンを押下することによりその指示を行う。操作／表示部８４に入力されたその記録開始の指示は全体制御部８１に入力され、全体制御部８１よりビデオデータの記録のための制御が各部に対して行われる。
カメラ部１０においては、全体制御部８１からの制御信号に基づいて、ＣＣＤ１１で獲得した信号をビデオデータとして出力する。フィルタ部２１で方式を調整した後、ブロック分割部２２で各フィールドごとのビデオデータをマクロブロックに分割し、圧縮部３０においてＤＣＴ符号化をして圧縮する。圧縮されたビデオデータは可変長符号化部４０で符号化され、誤り訂正符号付与部５０で誤り訂正符号が付加され、記録部６０で記録信号に変換される。
【００５５】
そして、同時に、そのビデオデータを記録すべきビデオテープ９１の記録領域に記録ヘッド６３から信号が印加されるように、全体制御部８１からの制御信号に基づいてテープ制御部８３がビデオカセットテープ９０のビデオテープ９１の位置が制御される。
そして、この時の記録を開始したビデオテープ９１上の位置の情報は、全体制御部８１からビデオカセットテープ９０のフラッシュメモリ９２に、図に示した所定のデータパックの形式で記録される。
このようにして、撮影を開始し順次入力されるビデオデータが、記録部６０の記録ヘッド６３によりビデオテープ９１の所定の記録領域に順次記録され、その記録領域の先頭位置の情報がビデオカセットテープ９０のフラッシュメモリ９２に記録される。
【００５６】
また、この撮影が開始された時に、インデックス画像生成部７０においては、入力され始めたカットの最初の映像データより、そのカットを識別するための縮小画像を抽出し、さらに他のカットの縮小画像と合わせて１つのフレーム上に配置してインデックス画像を生成する。
図５に示すように、カメラ部１０から入力されるその最初のフィールドの映像データ１０１は、ブロック分割部２２において８×８画素ごとのマクロブロック１０２に分割され、このマクロブロック１０２ごとにＤＣＴ部３１においてＤＣＴ変換される。そして、そのＤＣＴの結果は、並べ替え部３３においてそのＤＣ成分が最初にくるようなデータ１０３に並び替えられる。このＤＣ成分を、インデックス画像生成部７０のサンプリング部７２が抽出する。
【００５７】
サンプリング部７２は、その最初の映像データ１０１の各マクロブロックからこのＤＣ成分を抽出し、ＲＯＭ７４を介してＳＲＡＭ７５に順次入力する。その結果、ＳＲＡＭ７５上において、図５に示すような縮小画像１０４が形成される。
入力され始めたビデオデータの最初の画像データより、縮小画像１０４が抽出されたら、この縮小画像をフレームメモリ７７の所定の位置に配置する。縮小画像１０４は、８×８のマクロブロックを１画素に縮小した画像、すなわち、元のフレームを１／６４に縮小した画像なので、このような縮小画像６４個を１つのフレームに配置することができる。たとえば、図５に示すように、最初に記録したカットから得られた縮小画像１０４は、たとえばフレームメモリ７７の左上の領域に配置される。
【００５８】
このカットの撮影中であって、たとえば突発的なシーンや期待したシーンが発生して使用者がそのビデオデータの記録位置を検索し易いようにしたいと考えた時には、使用者はデジタルカムコーダ１の操作／表示部８４に設けられているキューボタンを押下する。このキューボタン押下の信号が全体制御部８１に入力されたら、全体制御部８１はタイムコード生成部８２よりタイムコードを読み込み、図４（Ｃ）に示すようなデータパックを生成し、ビデオカセットテープ９０のフラッシュメモリ９２に記録する。これにより、そのシーンの検索が容易に行えるようになる。
【００５９】
そして、使用者がデジタルカムコーダ１の操作／表示部８４のたとえばＲＥＣボタンを再押下することにより、そのカットの記録を終了しようとした場合、その記録終了の指示は全体制御部８１に入力され、全体制御部８１よりビデオデータの記録のための制御が各部に対して行われる。その結果、カメラ部１０からのビデオ信号の出力は終了され、そのカットの信号の記録は終了され、そのカットの信号に続いて、インデックス画像生成部７０で生成されたインデックス画像がビデオテープ９１に記録される。
【００６０】
具体的には、ビデオインデックス画像生成部７０のフレームメモリ７７に記録されるインデックス画像が、ブロック分割部２２に入力され、圧縮部３０において圧縮され、可変長符号化部４０で可変長符号化され、誤り訂正符号付与部５０でエラー訂正符号が付与されて、記録部６０を介してビデオテープ９１に記録される。この時、このインデックス画像は、それまでのカットの信号に連続したビデオテープ９１の記録領域に記録される。
なお、このインデックス画像は、それまでビデオカセットテープ９０に順次記録された各カットの縮小画像が全て配列された画像である。
【００６１】
またこの時、入力されたカットのビデオ信号の記録終了位置の情報と、そのインデックス画像の記録位置が、全体制御部８１からビデオカセットテープ９０のフラッシュメモリ９２に記録される。
ビデオ信号の記録を開始した時点で、図４（Ａ）に示すようなそのカットの記録位置を示すデータパックは既にフラッシュメモリ９２に記録されている。したがって、カットの記録終了時には、全体制御部８１はフラッシュメモリ９２よりその一旦記録したデータパックを読み出し、その２つのデータパックの各々第５バイトにそのカットのデータの終了位置を示すデータをセットし、再びフラッシュメモリ９２に記録する。なお、この終了位置は、先に記録した先頭位置からの相対位置で示される。
また、全体制御部８１は、図４（Ｂ）に示すような、そのインデックス画像の記録位置を示すデータパックを生成して、フラッシュメモリ９２に記録する。
【００６２】
次に、使用者により再びビデオデータの記録が指示されたら、全体制御部８１は前述したのと同様の動作を行って順次そのカットの信号をビデオテープ９１に記録する。この時に、全体制御部８１は、前のカットのデータ記録領域に連続して新たなカットのデータを記録するように、テープ制御部８３に対してビデオテープ９１の位置を制御する。すなわち、前のカットのデータの後に記録されているインデックス画像は更新して、その上に新たなカットのデータを記録する。そのため具体的には、テープ制御部８３はビデオテープ９１を僅かに巻き戻すことになる。
【００６３】
このように断続的に入力される各カットのビデオ信号は、図６に示すように順次ビデオテープ９１に記録される。
第１のカットの記録が終了した時点においては、ビデオテープ９１上には、図６（Ａ）に示すように、その第１のカットと、その第１のカットから抽出した縮小画像のみが表示されたインデックス画像のデータが記録される。
次に入力された第２のカットは、図６（Ｂ）に示すように、そのインデックス画像のデータの上に重複して第１のカットと連続するように記録され、その第２のカットの記録が終了したらその第２のカットの記録領域に連続して、第１のカットと第２のカットから抽出した縮小画像が表示されたインデックス画像が記録される。
【００６４】
ここで、第２のカットの記録が終了した時点において、使用者はビデオカセットテープ９０をデジタルカムコーダ１より取り出し、デジタルカムコーダ１の電源を切断して、たとえば他の再生装置によりビデオカセットテープ９０の記録内容を確認し、さらに引き続き撮影を行おうとして、再びそのビデオカセットテープ９０をデジタルカムコーダ１にセットしたとする。
そのような動作がなされた場合には、前述した最初の動作と同様に、ビデオカセットテープ９０がセットされたら、全体制御部８１は、まずビデオカセットテープ９０のフラッシュメモリ９２より識別データを読み出し、その読み出した識別データと識別データ記憶部８５に記録されている識別データが一致するか否か照合する。前述したように、同じビデオカセットテープ９０を一時的に取り出して再びセットしたのであれば、それらの識別データは一致する。その場合、全体制御部８１は、フラッシュメモリ９２に記録されているビデオテープ９１における記録位置の情報に基づいてビデオテープ９１の頭だしを行い、フレームメモリ７７に記録されているインデックス画像の情報などはそのままにしてビデオデータの入力を待つ。
【００６５】
そして、新たなビデオデータ（第３のカット）の入力が開始されたら、前述の動作と同じように、インデックス画像を抽出しながら、順次ビデオテープ９１に記録する。その結果、たとえば図６（Ｃ）に示すように、図６（Ｂ）に示す第１および第２のカットのインデックス画像を更新しながら、第２のカットに連続するように、第３のカットが記録される。
以後、図６（Ｄ），（Ｅ）に示すように、第４から第５のカットも、順次インデックス画像を更新しながら、各々連続するようにビデオテープ９１に記録される。
【００６６】
最後に、本実施の形態のデジタルカムコーダ１において、ビデオデータを記録する途中で、ビデオカセットテープ９０を交換した場合、および、ビデオカセットテープ９０を一時的に取り出して再びセットした場合の、各デジタルカムコーダ１の動作を、図７のフレームメモリ７７の内容示す図を参照して説明する。
カットＡおよびＢ撮影した時点で、ビデオカセットテープ９０を取り出すと、フレームメモリ７７は、カットＡ，Ｂのインデックス画像を記憶した状態で保持される。
【００６７】
そして、次にセットしたビデオカセットテープが、元のビデオカセットテープとは異なるビデオカセットテープだった場合には、そのビデオカセットテープがセットされた時点で、図７（Ｂ）に示すように、フレームメモリ７７の内容は消去される。そして、以後撮影されたカットＣ，Ｄは、図７（Ｃ）に示すように、１番目、２番目のカットとして、そのインデックス画像がフレームメモリ７７に順次記憶される。
一方、再びセットしたビデオカセットテープが、元のビデオカセットテープ９０だった場合には、そのビデオカセットテープ９０をセットしてもフレームメモリ７７の内容や消去されず、以後撮影されたカットＣ，Ｄは、カットＡ，Ｂ，に続いて順次記憶される。しがたって、そのインデックス画像においても、図７（Ｄ）に示すように、カットＡ〜カットＤまでのインデックス画像が一貫して表示されるような検索用画像が生成される。
【００６８】
以上説明したように、本実施の形態のデジタルカムコーダ１においては、順次入力される各カットの信号をビデオテープ９１に記録する際に、各カットのデータの先頭位置および終了位置をビデオカセットテープ９０のフラッシュメモリ９２に記録している。さらに、各カットの先頭の映像データを縮小してフレーム上に複数枚順次配列したインデックス画像を生成し、このインデックス画像をビデオテープ９１上に同時に記録した上で、そのインデックス画像の記録位置もフラッシュメモリ９２に記録している。
したがって、このデジタルカムコーダ１によりビデオ信号が記録されたビデオカセットテープ９０を用いて、ビデオデータの編集を行う場合には、フラッシュメモリ９２に記録されているインデックス画像の位置情報に基づいて、そのインデックス画像を高速に読み出し、各カットの内容を一覧表示させて確認し、それにより選択した各カットを同じくフラッシュメモリ９２に記録されている各カットの位置情報に基づいて高速に読み出すことができる。
【００６９】
そして、特に、新たにセットされたビデオカセットテープに識別データを付与するとともに、セットされたビデオカセットテープよりその識別データを読み出し、その前にセットされていたビデオカセットテープの識別データと比較照合し、同じビデオカセットテープが再セットされたか否かを検出している。そして、同じビデオカセットテープが再セットされた場合には、記録されたビデオデータの管理情報およびインデックス画像が継続して使用されて、そのビデオカセットテープ全体として一貫したビデオデータの管理を行っている。
したがって、一時的にビデオカセットテープを取り出しても、前述したようなインデックス画像の生成やビデオデータの管理は中断されず、取り出さずに連続的に撮影を行った場合と同様にビデオデータを記録することができる。
【００７０】
またフラッシュメモリ９２には、各カットの先頭位置情報が秒を単位とした情報で記録され、終了位置はその先頭位置からの相対情報により記録されている。通常容易に考えられるように、先頭位置および終了位置各々を、秒内のフレームを単位とした絶対位置情報で記録すれば、そのカットの位置情報として３つあるいは４つのデータパックが必要となる。それに比較すれば、本実施の形態のデジタルカムコーダ１においては、２つのデータパックで情報を記録しているので、記録するカット数が増加してもフラッシュメモリ９２の容量を少なく抑えることができる。
【００７１】
なお、本発明は、本実施の形態に限られるものではなく、種々の改変が可能である。
たとえば、識別データの構成は任意の構成でよい。たとえば、最初に記録したビデオデータのタイムコードを用いて識別データを生成し、これをビデオカセットテープ９０のフラッシュメモリ９２オヨビ識別データ記憶部８５に記憶するようにしておけばよい。このようにしておけば、一時的にビデオカセットテープ９０を取り出した際に、ビデオカセットテープ９０の内容を変更してしまった場合には識別データも変更してしまうことになり、デジタルカムコーダ１内に保存しているビデオカセットテープ９０の管理データと、実際のビデオカセットテープ９０の状態が異なるという事態を防ぐことができ、好適である。
【００７２】
また、インデックス画像の構成などは、任意の方法でよい。インデックス画像を構成する縮小画像は、元の映像データを縦横各々１／８、すなわち、面積を１／６４に縮小した画像なので、１枚のフレームに６４個の画像を格納することができる。しかし、後にこのフレームメモリに形成されら画像を再びＤＣＴすることを考慮すれば、あまり細かい画像は画質が落ちる恐れがあるので、１枚のフレームに収容する縮小画像の数を少なくした方が好ましい。たとえば、１枚のフレームを１／６４に区切った領域の１つ置きに、その縮小画像を配置するようにしてもよい。そのようにしても、前述したインデックス画像生成部７０のフレームメモリ７７は７フレーム分の容量を有するので、全部で２２４（＝３２×７）個の画像を格納できる。
もちろん、そのフレームメモリ７７の容量も、デジタルカムコーダ１の使用方法などに応じて、適宜変更してよい。
【００７３】
また、ビデオデータを記録する際の圧縮方法も８×８ＤＣＴに限らず、任意の方法でよい。
また、インデックス画像生成部で行う縮小画像を抽出方法も任意に変更してよい。逆ＤＣＴなどを行って圧縮された画像を復元するようにしてもよいし、圧縮前の元の入力映像データを間引いて縮小画像を生成するようにしてもよい。
【００７４】
【発明の効果】
以上説明したように、本発明のビデオデータ記録装置およびその方法によれば、半導体メモリを内蔵したビデオデータ記録媒体に対して、検索が容易に行え、さらにそのビデオデータ記録媒体を着脱したとしても、その記録媒体に記録されているビデオデータに対する検索データの生成などの処理を、一貫して高速に行うことができるように、ビデオデータを記録することができる。
【図面の簡単な説明】
【図１】本発明の一実施の形態のデジタルカムコーダの構成を示すブロック図である。
【図２】本発明の記録媒体に係わり、図１に示したデジタルカムコーダによりビデオデータが記録されるビデオカセットテープの外観図であり、（Ａ）はビデオカセットテープを裏面から見た図、（Ｂ）は背面図、（Ｃ）は側面図である。
【図３】図１に示したデジタルカムコーダにより、ビデオカセットテープに対して付与される識別データの構成を示す図である。
【図４】図１に示したデジタルカムコーダにより、ビデオカセットテープの半導体メモリに記録されるデータパックの構成を示す図であり、（Ａ）はカットのマークイン点およびマークアウト点の位置を示すデータパックの構成を示す図、（Ｂ）はインデックス画像の位置を示すデータパックの構成を示す図、（Ｃ）は撮影者の指示によりマークされた画像の位置を示すデータパックの構成を示す図である。
【図５】図１に示したデジタルカムコーダのインデックス画像生成部におけるインデックス画像の生成方法を説明する図である。
【図６】図１に示したデジタルカムコーダにより、順次ビデオデータはビデオテープに記録される状態を示す図であり、（Ａ）〜（Ｅ）は各々第１のカットから第５のカットが記録された後の状態を示す図である。
【図７】図１に示したデジタルカムコーダにおいて、ビデオカセットテープが一時的に取り出された場合のフレームメモリの内容を示す図であり、（Ａ）はカットＡ，Ｂが入力された場合のフレームメモリの内容を示す図、（Ｂ）はビデオカセットテープが取り出された後異なるビデオカセットテープがセットされた時点のフレームメモリの内容を示す図、（Ｃ）はその後カットＣ，Ｄが入力された場合のフレームメモリの内容を示す図、（Ｄ）はビデオカセットテープが取り出された後同じビデオカセットテープがセットされその後カットＣ，Ｄが入力された場合のフレームメモリの内容を示す図である。
【符号の説明】
１…デジタルカムコーダ
１０…カメラ部
１１…ＣＣＤ                  １２…カメラ処理部
１３…制御部
２１…フィルタ部                ２２…ブロック分割部
３０…圧縮部
３１…ＤＣＴ部                ３２…動き検出部
３３…並べ替え部              ３４…量子化部
３５…符号量推定部
４０…可変長符号化部
５０…誤り訂正符号付与部
５１…シャッフリング部        ５２…エラー訂正符号付与部
６０…記録部
６１…チャネルコーディング部  ６２…記録アンプ
６３…記録ヘッド
７０…インデックス画像生成部
７１…制御部                  ７２…サンプリング部
７３…タイミングパルス生成部  ７４…ＲＯＭ
７５…ＳＲＡＭ                ７６…アドレスコントローラ
７７…フレームメモリ          ７８…アドレスコントローラ
８１…全体制御部                ８２…タイムコード生成部
８３…テープ制御部              ８４…操作／表示部
８５…識別データ記憶部
９０…ビデオカセットテープ
９１…ビデオテープ              ９２…フラッシュメモリ
９３…カセットケース            ９４…端子
９５…蓋                        ９６…誤消去防止用ツメ
【図１】
0003747501.tif 000003
【図２】
0003747501.tif 000004
【図３】
0003747501.tif 000005
【図４】
0003747501.tif 000006
【図５】
0003747501.tif 000007
【図６】
0003747501.tif 000008
【図７】
0003747501.tif 000009